(57)【要約】【課題】  洗濯槽や被洗濯物である履物を傷めることがない洗濯補助具を提供する。【解決手段】  洗濯機１の洗濯槽２に収容され、被洗濯物１１を洗濯するための洗濯補助具１０であり、洗濯補助具１０は、被洗濯物１１を収容するための空間１２ａを有し、網状物からなる本体部１２と、本体部１２の空間１２ａの中心に挿通され、本体部１２が回動自在に連結される支軸１３と、洗濯槽２に固定する固定手段１５を有し、支軸１３の一端に連結され、支軸１３を洗濯槽２の回転中心２０に固定する支持部材１４とを備える。【選択図】  図１
2006334173.tif 000002
【特許請求の範囲】
【請求項１】
洗濯機の洗濯槽に収容され、被洗濯物を洗濯するための洗濯補助具において、
上記被洗濯物を収容するための空間を有し、網状物からなる本体部と、
上記本体部の上記空間の中心に挿通され、上記本体部が回動自在に連結される支軸と、
上記洗濯槽に固定する固定手段を有し、上記支軸の一端に連結され、上記支軸を上記洗濯槽の回転中心に固定する支持部材とを備えること
を特徴とする洗濯補助具。
【請求項２】
上記支持部材は、上記支軸に対して垂直な平面において棒状部材が略直交する形状を有し、上記棒状部材が交差する位置において上記支軸と連結されており、
上記固定手段は、上記洗濯槽に吸着する吸着部材であり、上記支持部材を構成する上記棒状部材の端部に設けられること
を特徴とする請求項１記載の洗濯補助具。
【請求項３】
さらに、上記本体部は、上記空間を複数に仕切る仕切りを有すること
を特徴とする請求項１又は２記載の洗濯補助具。
【発明の詳細な説明】
【技術分野】
【０００１】
本発明は、洗濯機に用いられる洗濯補助具に関し、特に、靴などの履物を洗濯機で洗濯する際に用いられる洗濯補助具に関する。
【背景技術】
【０００２】
従来は、運動靴などの履物を洗う場合は、石鹸や靴用洗剤とブラシを用いて洗う、又は専用の漬け置き洗剤に漬け置いて洗う方法が取られていた。しかしながら、これらの方法は、大変手間がかかり、労力を要し、煩わしい作業であった。
【０００３】
そこで、その煩わしさを解消するために、家庭にある衣類用の洗濯機を使用して履物を洗濯する場合があった。しかしながら、履物は、履物の底面、踵部においては硬い材料で形成されていたり、靴紐を挿通させる孔を補強するために金具等が使用されていた。そのような履物を、衣類用の洗濯機に投入した場合は、履物の硬い部分が洗濯槽の内面に衝突し、洗濯槽や履物を損傷させるだけでなく、大きな騒音の要因となっていた。
【０００４】
そこで、衣料用の洗濯機を用いて履物を洗濯するための洗濯補助具が種々提案されている（例えば、特許文献１参照。）。
【０００５】
特許文献１は、履物を収納することができる網袋を洗濯槽に取り付けて使用する履物用洗濯補助具である。特許文献１記載の履物用洗濯補助具は、洗濯機の洗濯槽に取り付けられる取付具と網袋とを相対回動自在及び首振り自在部を備えるものである。特許文献１の履物用洗濯補助具は、１つの取付具を介して洗濯槽の側面に取り付けるものである。
【０００６】
【特許文献１】実開平２−１３０５８１号公報
【発明の開示】
【発明が解決しようとする課題】
【０００７】
ところで、特許文献１の履物用洗濯補助具は、洗濯槽に取付具を介して取り付けるものであり、上述のように被洗濯物としての履物と洗濯槽との衝突を完全には回避できていない。
【０００８】
そこで、本発明は上述の問題点に鑑み、洗濯槽や履物などの被洗濯物を傷めることなく、かつ、洗濯中の音も通常の衣料等の洗濯のときと同程度の音となり騒音の発生を防ぐことができる洗濯補助具を提供することを目的とする。
【課題を解決するための手段】
【０００９】
本発明に係る洗濯補助具は、洗濯機の洗濯槽に収容され、被洗濯物を洗濯するための洗濯補助具において、上記被洗濯物を収容するための空間を有し、網状物からなる本体部と、上記本体部の上記空間の中心に挿通され、上記本体部が回動自在に連結される支軸と、上記洗濯槽に固定する固定手段を有し、上記支軸の一端に連結され、上記支軸を上記洗濯槽の回転中心に固定する支持部材とを備えることを特徴とする。
【発明の効果】
【００１０】
本発明は、洗濯槽と支持部材とが固定手段を介して固定されており、支軸が洗濯槽の中心軸に沿う位置となるように支持部材と連結されており、支軸と本体部とが回動自在に取り付けられている。そのため、本発明は、本体部が洗濯槽の中心軸と同位置に配された支軸を回転軸として回動され、本体部の空間に収容される被洗濯物が、洗濯槽と衝突することがなく、洗濯槽及び被洗濯物の損傷を防ぐことができるとともに、洗濯中の音も通常の衣料等の洗濯のときと同程度の音となり騒音の発生を防ぐことができる。
【発明を実施するための最良の形態】
【００１１】
以下、本発明に係る洗濯補助具を実施するための最良の形態を図面を参照して詳細に説明する。図１は、本発明の洗濯補助具１０を洗濯機１に取り付けた様子を示した図であり、図２は、本発明の洗濯補助具１０の斜視図であり、図３は、洗濯補助具１０の縦断面図と横断面図である。
【００１２】
図１〜図３に示すように、本発明の洗濯補助具１０は、被洗濯物である履物１１を収容することができ、洗濯機１の洗濯槽２に取り付け、洗濯機１を運転させることにより、履物１１を洗濯することができるものである。
【００１３】
洗濯機１は、箱型の外筐体３内に外槽４（図３参照）が設けられ、この外槽４の内部に脱水兼用の洗濯槽２が外槽４と同心（図３中、中心軸２０）に設けられている。洗濯機１は、洗濯槽２の底部に設けられたパルセータ５（図３参照）や洗濯槽２を図示しない駆動源により回転駆動させることにより、洗濯槽２に溜められた水や被洗濯物を回転させ、洗濯、すすぎ、脱水等をする。
【００１４】
洗濯槽２は、底部を有する筒型形状で、脱水の際に生じる排水を外槽４に移すための孔が多数設けられたステンレス槽からなる。洗濯槽２は、底部にパルセータ５が設けられており、このパルセータ５を回転させることにより、洗濯槽２内の被洗濯物を洗濯、すすぎ等する。
【００１５】
なお、洗濯機１は、洗濯、すずぎ、脱水を一つの槽において行う、いわゆる全自動洗濯機であるが、これに限らず、洗濯槽を有する洗濯機であればよく、例えば、洗濯、すすぎを行う洗濯槽と、脱水を行う脱水槽の２槽設けられた洗濯機であってもよい。
【００１６】
被洗濯物である履物１１は、例えば、室内履き用、外履き用の靴やスリッパであり、例えば、布製の紐付き運動靴やゴム底靴である。
【００１７】
本発明の洗濯補助具１０は、図２に示すように、被洗濯物である履物１１を収容するための空間部１２ａを有し、網状物からなる本体部１２と、本体部１２の空間部１２ａの中心に挿通され、本体部１２が回動自在に連結される支軸１３と、洗濯槽２に固定する固定手段１５を有し、支軸１３の一端に連結され、支軸１３を洗濯槽２の回転中心に固定する支持部材１４とから構成されている。
【００１８】
本体部１２は、図２及び図３に示すように、通水性、脱水性の良い、例えば２ｃｍ角の格子が設けられた網状物からなり、この網状物により略円柱型に形成されている。本体部１２は、被洗濯物である履物１１が所定数収容できる大きさであり、洗濯槽２内に収容できる大きさである。また、本体部１２は、洗濯機１に取り付けられた際に、洗濯槽２の内周面と接することがない程度の大きさに形成されている。本体部１２は、内部に空間部１２ａを有し、この空間部１２ａに被洗濯物である履物１１が収容される。本体部１２は、中心軸に沿って支軸１３が挿通されている。本体部１２は、空間部１２ａを回転軸の回転方向に４等分するような仕切り１２ｂが、本体部１２と同様の網状物から形成されている。また、本体部１２は、その側面に仕切り１２ｂにより空間部１２ａが４等分された空間のそれぞれに履物１１が収容できるようにするための開口部が設けられており、この開口部を閉塞できる開閉手段１２ｃがそれぞれ設けられている。具体的には、開閉手段１２ｃは、上述の開口部を開閉するファスナーからなる。
【００１９】
なお、本体部１２は、上述のように、仕切り１２ｂにより空間部１２ａを４等分することに限らず、被洗濯物である履物１１を収容できる空間であれば仕切りにより複数の空間に分割するようにしてもよいし、仕切り１２ｂを設けないような構成としてもよい。さらに、本体部１２は、上述のような略円柱型に限らず、履物１１を収容することができ洗濯槽２内に収容することができるとともに、洗濯機１に取り付けた際に洗濯槽２の内周面に接しない程度の形状であれば如何なる形状であってもよい。
【００２０】
支軸１３は、例えばステンレス材からなり、本体部１２の中心軸に沿って挿通される棒状部材である。支軸１３は、一端が支持部材１４と接続されており、その長さが、支持部材１４を洗濯槽２に取り付けた際に他端が洗濯槽２内面と接することがない程度の長さに形成されている。支軸１３は、両端部近傍において回動部材１３ａ、１３ａを有し、この回動部材１３ａに本体部１２が締着されることにより、本体部１２と接続されている。本体部１２は、回動部材１３ａにより、支軸１３を軸として回動自在に構成されている。回動部材１３ａは、例えば支軸１３よりやや大径な円環部材からなり、この円環部材の周面に設けられた複数の貫通孔に本体部１２が締着されており、この円環部材の内周面と支軸１３の外周面との間にベアリングが設けられており、回動自在とされている。
【００２１】
支持部材１４は、支軸１３と同様にステンレス材からなり、Ｘ字状に直交する形状に形成された棒状部１４ａ、１４ｂとから構成されている。支持部材１４は、棒状部１４ａ、１４ｂの端部において、洗濯槽２の内周面２ａに着脱自在に固定するための固定手段１５が設けられている。支持部材１４は、支軸１３が洗濯槽２の中心軸２０に沿うような位置で支軸１３の一端と連結されている。具体的には、支持部材１４は、棒状部１４ａ、１４ｂのそれぞれの略中間位置で、棒状部１４ａ、１４ｂが交差する位置において、支軸１３の一端と連結され、棒状部１４ａ、１４ｂにより形成される平面と支軸１３とが直交するように連結されている。
【００２２】
さらに支持部材１４の棒状部１４ａ、１４ｂは、洗濯槽２の径と略同一の長さに調節するための伸縮調節機構を有している。伸縮調節機構は、例えば、棒状部１４ａ、１４ｂが２本の異なる径の棒状部材からなり、一方の棒状部材が他方の棒状部材に挿通されており、２本の棒状部材を貫通する位置に設けられた貫通孔にピンを挿し込むことにより所定長さに固定されるような機構からなる。これにより、様々な大きさの洗濯槽２に洗濯補助具１０を取り付けることができる。
【００２３】
なお、支軸１３及び支持部材１４は、上述のようなステンレス材に限らず、支軸１３においては、本体部１２を支えるだけの強度であり、支持部材１４においては、支軸１３を支持できるだけの強度を有する材料から形成されていれば如何なるものであってもよい。
【００２４】
また、伸縮調節機構は、上述に限らず、支持部材１４の棒状部１４ａ、１４ｂの長さを伸縮させることができる構成を有する機構であれば、如何なるものであってもよい。
【００２５】
固定手段１５は、支持部材１４の棒状部材１４ａ、１４ｂのそれぞれの両端部に設けられた、例えば吸盤からなり、この吸盤を洗濯槽２の内周面２ａに吸着させることにより、支持部材１４を洗濯槽２に固定する。
【００２６】
なお、固定手段１５は、上述に限らず、洗濯槽２に支持部材１４を固定できるものであれば、いかなる構成であってもよい。
【００２７】
以上のように構成された洗濯補助具１０は、洗濯槽２と支持部材１４とが固定手段１５を介して固定されており、支軸１３が洗濯槽２の中心軸２０に沿う位置となるように支持部材１４と連結されており、支軸１３と本体部１２とが回動部材１３ａ、１３ａを介して回動自在に取り付けられている。そのため、洗濯補助具１０は、本体部１２が洗濯槽２の中心軸２０と同位置に配された支軸１３を回転軸として回動され、本体部１２は洗濯槽２の内面と接することがない大きさとされているので、本体部１２の空間部１２ａに収容される履物１１が、洗濯槽２と衝突することがなく、洗濯槽２及び履物１１の損傷を防ぐことができるとともに、洗濯中の音も通常の衣料等の洗濯のときと同程度の音となり騒音の発生を防ぐことができる。
【００２８】
次に、本発明の他の実施形態である洗濯補助具３０について図４を参照しながら説明する。なお、洗濯補助具３０について、洗濯補助具１０と同様の構成を有するものには同様の符号を付し、その説明を省略する。
【００２９】
洗濯補助具３０は、洗濯補助具１０の支持部材１４の代わりに、支軸１３を洗濯槽２の中心軸２０に沿うように位置させ、洗濯槽２と固定するための支持部材３１を有している。さらに、洗濯補助具３０は、支軸１３の支持部材３１と連結された端部とは反対側の端部に設けられ、支軸１３を洗濯槽２の中心軸２０と同位置に支持するための支持部材３２を有している。
【００３０】
支持部材３１は、複数本の紐状物からなり、それぞれの紐状物の一端が支軸１３の端部と接続され、他端に固定手段１５が設けられている。支持部材３１の紐状物は、固定手段１５を介して洗濯槽２の内周面２ａと固定することができ、支軸１３が洗濯槽２の中心軸２０と同位置となるような長さに形成されている。
【００３１】
支持部材３２は、支持部材３１と同様に複数本の紐状物からなり、それぞれの紐状物の一端が支軸１３の支持部材３１が設けられていない側の端部と接続され、他端に洗濯槽２の底部に固定するための固定手段３３が設けられている。支持部材３２の紐状物は、固定手段３３を介して洗濯槽２の底部と固定することができ、支軸１３が洗濯槽２の中心軸２０と同位置となるような長さに形成されている。固定手段３３は、固定手段１５と同様に、例えば吸盤からなり、この吸盤を洗濯槽２の底部に吸着させることにより、支持部材３２を洗濯槽２に固定する。
【００３２】
以上のような構成を有する洗濯補助具３０は、洗濯槽２と支持部材３１とが固定手段１５を介して固定されており、支軸１３が洗濯槽２の中心軸２０に沿う位置となるように支持部材３１及び３２と連結されており、支軸１３と本体部１２とが回動部材１３ａ、１３ａを介して回動自在に取り付けられている。そのため、洗濯補助具３０は、本体部１２が洗濯槽２の中心軸２０と同位置に配された支軸１３を回転軸として回動され、本体部１２は洗濯槽２の内面と接することがない大きさとされているので、本体部１２の空間部１２ａに収容される履物１１が、洗濯槽２と衝突することがなく、洗濯槽２及び履物１１の損傷を防ぐことができるとともに、洗濯中の音も通常の衣料等の洗濯のときと同程度の音となり騒音の発生を防ぐことができる。
【００３３】
なお、本発明に係る洗濯補助具１０、３０は、上述のように、被洗濯物として履物１１について説明をしたが、これに限らず、洗濯槽２との衝突により洗濯槽２を損傷させるおそれがあるものであれば、如何なるものを被洗濯物としてもよい。
【図面の簡単な説明】
【００３４】
【図１】本発明に係る洗濯補助具を洗濯機の洗濯槽に取り付けた斜視図である。
【図２】本発明に係る洗濯補助具を示す全体斜視図である。
【図３】（Ａ）は、本発明に係る洗濯補助具の図１のｘ−ｘ´における要部断面図であり、（Ｂ）は、本発明に係る洗濯補助具の図１のｙ−ｙ´における要部断面図である。
【図４】本発明に係る洗濯補助具の他の実施の形態を示した断面図である。
【符号の説明】
【００３５】
１  洗濯機、２  洗濯槽、３  外筐体、４  外槽、５  パルセータ、１０、３０  洗濯補助具、１１  履物、１２  本体部、１２ａ  空間部、１２ｂ  仕切り、１２ｃ  開閉手段、１３  支軸、１４  支持部材、１５  固定手段
【図１】
2006334173.tif 000003
【図２】
2006334173.tif 000004
【図３】
2006334173.tif 000005
【図４】
2006334173.tif 000006